(57)【特許請求の範囲】
【請求項１】
走行機体の後部に着脱可能に装着されて該走行機体の走行とともに進行して所定の作業を行うものであり、前記走行機体の後部に装着される装着部と、該装着部の進行方向後側に設けられた機体本体部と、該機体本体部に支持されて所定の作業を行う作業部とを備える農作業機であって、
前記装着部又は前記機体本体部に、前記農作業機の関連用具を収容可能な用具予備手段が設けられ、
前記用具予備手段は、箱状本体部と、前記箱状本体部に対し蓋部として開閉自在に取り付けられた制御ボックスとを有し、前記制御ボックスには、アンテナで受信した電波に含まれる指令信号に応じて前記農作業機の作動を制御する無線受信制御装置が収容されることを特徴とする農作業機。
【請求項２】
前記装着部は、前記走行機体の進行方向に対して左右方向に延びるヒッチフレームと、前記走行機体の３点リンク連結機構に連結される連結フレームとを有し、
前記用具予備手段は、前記ヒッチフレームに設けられていることを特徴とする請求項１に記載の農作業機。
【請求項３】
前記機体本体部は、前記装着部に一端部が回動自在に支持されて他端側が装着部幅方向に揺動可能なオフセット機構部を有し、該オフセット機構部の移動端側に前記作業部が回動自在に設けられ、
前記用具予備手段は、前記装着部の幅方向一側又は該装着部の進行方向前側部に設けられていることを特徴とする請求項１に記載の農作業機。
【請求項４】
前記用具予備手段は、前記機体本体部をなすフレーム部に設けられていることを特徴とする請求項１に記載の農作業機。
【発明の詳細な説明】
【技術分野】
【０００１】
本発明は、農作業機に関し、特に、走行機体の後部に装着される装着部と、装着部の進行方向後側に設けられた機体本体部と、機体本体部に回転自在に支持されて所定の作業を行う作業部とを備える農作業機に関する。
【背景技術】
【０００２】
このような農作業機には、回転する作業部の破損を未然に防止するためにシャーボルトを介して作業部を取り付けたものや、リモコン送信機から送信される信号に応じて作業部の作動が制御されるように構成されたものがある。
【０００３】
例えば、特許文献１には、旧畦を切り崩して土盛りを行う前処理ロータを、シャーボルトを介して取り付けた畦塗り機が開示されている。この畦塗り機の前処理ロータは、動力を受けて回転する回転軸にトルク伝達可能に外嵌された中間筒軸と、この中間筒軸に外嵌された耕耘爪取付用の筒軸と、筒軸に装着された複数の耕耘爪を備える。筒軸にはフランジが設けられ、このフランジは中間筒軸に設けられたフランジにシャーボルトを介して連結固定されて、前処理ロータは中間筒軸を介して回転軸に連結されている。このため、前処理ロータの回転時に耕耘爪に石等の障害物が当接した場合、耕耘爪に作用する衝撃荷重はシャーボルトに作用してシャーボルトを破断させる。このため、耕耘爪に過大な衝撃力が作用する虞がなくなり、また前処理ロータやこれに動力を伝達する回転軸を含む駆動部等の損傷が未然に防止される。
【０００４】
また特許文献２には、自走式タイプの走行機体に管理機体を搭載した茶園管理機が開示されている。この茶園管理機は、送信機から発する信号を受信機が受信し、この受信した信号に応じて茶園管理機の作動が制御されるように構成されている。これらの送信機及び受信機は、背面にマグネットが貼設されて管理機の所望の場所に着脱自在に設置可能である。
【先行技術文献】
【特許文献】
【０００５】
【特許文献１】特開２００６−４２７４７号公報
【特許文献２】特開２００１−６１３０４号公報
【発明の概要】
【発明が解決しようとする課題】
【０００６】
このようなシャーボルトが装着された従来の畦塗り機等の農作業機には、予備のシャーボルトを予め農作業機に保管する場所が設けられていなかった。このため、作業者は予備のシャーボルトや必要な工具を常に身につけて作業を行い、また予備のシャーボルトを走行機体に常時搭載し、また予備のシャーボルトを収納袋等に入れて農作業機に引っ掛けておく等の措置が取られていた。
【０００７】
しかしながら、このような措置では、シャーボルトの交換時に、作業者が予備のシャーボルトの保管場所を忘れたり、シャーボルトを紛失したり、作業機毎に異なる種類の予備のシャーボルトから適合しない予備のシャーボルトに誤って交換したりする虞があり、作業部や駆動部を破損してしまう等の不都合が生じる。
【０００８】
また、作業者が走行機体に搭乗した状態で農作業機を無線で遠隔操作する送信機を備える農作業機では、農作業機の使用後に、納屋等に農作業機を保管するときに送信機を走行機体内に置いたままにする場合が多い。このため、農作業機を次期シーズンに使用するまでに送信機を紛失する虞があった。
【０００９】
本発明は、このような課題を解決するためになされたものであり、農作業機に予備のシャーボルトや送信機等の関連用具を備えることができる農作業機を提供することを目的とする。
【課題を解決するための手段】
【００１０】
上記目的を達成するために本発明の農作業機（実施の形態における畦塗り機１、耕耘作業機７０）は、走行機体の後部に着脱可能に装着されて該走行機体の走行とともに進行して所定の作業を行うものであり、走行機体の後部に装着される装着部と、該装着部の進行方向後側に設けられた機体本体部（実施の形態におけるオフセット機構部２１，本体フレーム７２）と、該機体本体部に回転自在に支持されて所定の作業を行う作業部とを備える農作業機であって、装着部又は機体本体部に、農作業機の関連用具を備えるための用具予備手段（実施の形態における用具箱５０，６０）が設けられていることを特徴とする（請求項１）。
【００１１】
本発明の「農作業機」とは、圃場の畦を形成する畦塗り機や、圃場の耕土を耕耘する耕耘作業機や、圃場に溝を形成する溝掘り機等をいう。本発明の「機体本体部」とは、装着部の進行方向後側に設けられ、作業部を移動可能に支持するものや、作業部を回転自在に支持するものである。具体的には、機体本体部は、農作業機の種類に応じて構成され、農作業機が畦塗り機の場合には、装着部に一端部が回動自在に支持されて他端側が装着部幅方向に揺動可能なオフセット機構部（実施の形態におけるオフセット機構部２１）を有し、オフセット機構部の移動端側に作業部を回動自在に設けたものである（請求項２）。また、農作業機が耕耘作業機の場合には、機体本体部は、装着部よりも後方側に配設されて装着部幅方向に延びるフレーム部（実施の形態における本体フレーム７２）を有し、このフレーム部に作業部を回転自在に支持してなるものである（請求項３）。
【００１２】
用具予備手段は、装着部又は機体本体部に農作業機の関連用具を備えておくための手段であり、関連用具を農作業機に備えておくことができれば、装着部等に設けられたものでもよい。具体的には、用具予備手段は、装着部の幅方向一側又は該装着部の進行方向前側部に設けられる（請求項２）。この発明は、用具予備手段が、無線受信制御装置が収容される制御ボックスと一体化された用具箱（請求項５）である場合を想定している。この場合、無線受信制御装置の無線受信の感度を良くするためには、走行機体と農作業機とを連結するリンク部材が無線の邪魔をしない位置に用具予備手段が設置されるのが好ましい。このため、用具予備手段は、装着部の幅方向一側又は該装着部の進行方向前側部に設けられる。
【００１３】
また、用具予備手段は、ギヤケース周辺のフレーム部又はマストに設けられる（請求項３）。この発明は、無線受信制御装置を有さない農作業機を想定したものである。農作業機が無線受信制御装置を有しない場合、用具予備手段は無線受信の感度を考慮する必要がないので、用具予備手段は、リンク部材に接近する位置に配置することができ、具体的には、ギヤケース周辺のフレーム部又はマストに設けることができる。
【００１４】
用具予備手段は、関連用具を収容可能な用具箱である（請求項４）。用具箱は、関連用具を収容できればよく、雨水を防ぐことが可能な程度のものでよい。具体的には、関連用具を収容可能な有底筒状の容器本体部と、容器本体部の開口部を開閉自在に塞ぐ蓋部を有してなる。開口部は容器本体部の上部に開口し、又は容器本体部の側部に開口してもよい。
【００１５】
また用具予備手段は、新たに用意する必要はなく、既に機体本体部に設けられているものを利用してもよい。具体的には、アンテナで受信した電波に含まれる指令信号に応じて農作業機の作動を制御する無線受信制御装置（実施の形態における電子基板４０）が収容されたボックスを利用して一体化されたものでもよい（請求項５）。
【００１６】
また用具予備手段は、関連用具を箱内に収容するものに限るものではなく、装着部又は機体本体部に直接的に着脱可能に装着するものでもよい。具体的には、関連用具がシャーボルトの場合、装着部又は機体本体部にシャーボルトを着脱可能に螺合する装着孔部でもよい（請求項６）。
【００１７】
本発明の「関連用具」とは、農作業機に使用されるシャーボルト、スパナ等の簡易工具、ウェス、軍手、リモコン送信機用の交換電池、不使用時のリモコン送信機等をいう。
【発明の効果】
【００１８】
本発明によれば、農作業機の装着部又は機械本体部に農作業機の関連用具を備えておくための用具予備手段を設けることで、関連用具を農作業機に備えることができる。このため、関連用具を備えておくことが可能な農作業機を提供することができる。
【図面の簡単な説明】
【００１９】
【図１】本発明の一実施の形態に係わる農作業機（畦塗り機）に設けられた電気接続箱と一体化された用具箱の斜視図を示す。
【図２】この用具箱が設けられた畦塗り機の平面図を示す。
【図３】この用具箱が開口した状態の斜視図を示す。
【図４】本発明の他の実施の形態に係わる畦塗り機に設けられた用具箱の斜視図を示す。
【図５】この用具箱内に収容される関連用具の斜視図を示す。
【図６】本発明の他の実施の形態に係わる農作業機（耕耘作業機）の平面図を示す。
【発明を実施するための形態】
【００２０】
以下、本発明に係わる農作業機の最良の形態を図１から図６に基づいて説明する。なお、農作業機には各種のものがあるが、そのうちの畦塗り機及び耕耘機を例にして、以下、説明する。先ず、畦塗り機について説明する。
【００２１】
畦塗り機１は、図２（平面図）に示すように、走行機体９０の後部に設けられた三点リンク連結機構(図示せず)に連結されて、走行機体９０の前進走行に応じて畦塗り作業を行なうものである。畦塗り機１は、走行機体９０の後部に装着される装着部１０と、装着部１０に走行機体９０の進行方向に対して左右方向に移動可能に設けられたオフセット機構部２１を有する機体本体部２０と、オフセット機構部２１の移動端側（後端側）に水平方向に回動可能に配設された作業部３０とを有してなる。
【００２２】
装着部１０は、その左右方向中央部に入力軸４を備え、左右方向に延びるヒッチフレーム１１と、ヒッチフレーム１１の前側に取り付けられて走行機体９０の三点リンク連結機構に連結可能な連結フレーム１３とを有してなる。ヒッチフレーム１１の左右両端部には、左右方向に延びてスタンドが装着可能なスタンド取付部１２が設けられている。
【００２３】
ヒッチフレーム１１の左側前部には、走行機体９０に搭乗した作業者が操作する無線指令装置３（リモコン送信機）から送信される無線方式の指令信号を受信しこの指令信号に応じて畦塗り機１の作動を制御する電子基板４０を収容する電気接続箱４１が設けられている。電気接続箱４１の詳細については後述する。
【００２４】
オフセット機構部２１は、前端側をヒッチフレーム１１に回動自在に連結されて後方側へ延びるオフセットフレーム２２と、オフセットフレーム２２の右側に並設されて前端側がヒッチフレーム１１の右側端部に回動自在に連結されたリンク部材２３とを有してなる。リンク部材２３の後端側は、オフセットフレーム２２の後端部に回動自在に設けられた連結部材２４に回動自在に設けられている。オフセット機構部２１は、オフセットフレーム２２、リンク部材２３、ヒッチフレーム１１及び連結部材２４によって平行リンク機構を形成している。
【００２５】
オフセットフレーム２２は、この後端部とヒッチフレーム１１の左側端部との間に枢結された旋回シリンダ２６の伸縮動作により左右方向に揺動可能である。オフセットフレーム２２内には動力伝達機構が設けられている。この動力伝達機構は、チェーン伝動機構であり、オフセットフレーム２２の後端側に作業部３０の回動支点Ｏと同軸上に回動自在に配設された従動軸２８を備えて、走行機体９０から入力軸４に伝達された動力を従動軸２８に伝達可能に構成されている。
【００２６】
従動軸２８の下部には、これと同軸上に配置されて下方へ延びる主軸が連結されている。主軸は、従動軸２８の回転動とともに回転して、作業部３０への動力伝達が可能である。主軸の外側には主軸を覆う主軸ケースが配設され、この主軸ケースの上端部はオフセットフレーム２２の後端下部に回動可能に連結され、主軸ケースの下端部には作業部３０が固定された状態で取り付けられている。
【００２７】
作業部３０は、連結部材２４と主軸ケースとの間に繋がれた伸縮シリンダ１５の伸縮により回動支点Ｏに対して回動可能であるとともに、伸縮シリンダ１５の伸縮規制によりオフセット機構２１の揺動に対して作業部３０の作業方向が走行機体９０の進行方向と平行になるように保持される。
【００２８】
作業部３０は、圃場の周辺に沿って形成された旧畦の上部を切り崩す天場処理部３１と、切り崩した土の土盛りを行なう前処理部３３と、盛られた土を切り崩された旧畦上に塗り付ける整畦部３５とを有してなる。
【００２９】
天場処理部３１は、天場動力伝達ケース３２を介して前処理部３３に支持されている。天場処理部３１は複数の耕耘爪を備えた天馬処理ロータを備え、天場動力伝達ケース３２内の動力伝達機構を介して前処理部３３から動力を受けて回転可能である。
【００３０】
前処理部３３は、前処理ロータを備え、前処理動力伝達ケース３４を介して主軸ケースに連結されて支持される。前処理動力伝達ケース３４内には、主軸からの動力を受けて回転駆動する前処理側駆動軸を有した動力伝達機構が内蔵されている。前処理側駆動軸の先端部に前処理部３３が接続されている。
【００３１】
整畦部３５は、左右方向に延びて回転動自在に支持された回転軸に取り付けられた多面体ドラム３５ｂと、多面体ドラム３５ｂの右側端部に取り付けられて横方向に延びる円筒部３５ａとを有してなる。整畦部３５は整畦動力伝達ケース３６を介して主軸ケースに連結されて支持される。整畦動力伝達ケース３６内には図示しない整畦側動力伝達機構が内蔵され、この整畦側動力伝達機構は主軸に繋がって、主軸からの動力を整畦部３５に伝達可能に構成されている。
【００３２】
このように構成された畦塗り機１は、図１及び図３に示すように、電気接続箱４１に収容された前述した電子基板４０（図２参照）によって制御される。この電子基板４０は、走行機体９０に搭乗した作業者が操作する無線指令装置３（リモコン送信機、図２参照）から送信される無線方式の指令信号を受信しこの指令信号に応じて畦塗り機１の作動を制御する。
【００３３】
電気接続箱４１は、ヒッチフレーム１１の左右方向一方側の前側端部に設けられた用具箱５０に取り付けられている。電気接続箱４１は、電子基板４０の無線受信の感度を良くするために、走行機体９０と畦塗り機１とを連結するリンク部材が近くにない位置に配置されている。図面では、電気接続箱４１は、ヒッチフレーム１１の左右方向一方側の前側端部に設けた場合を示している。なお、電気接続箱４１はスタンド取付部１２に設けられてもよい。電気接続箱４１は、内部に収容凹部を有したボックス本体４２と、ボックス本体４２の底面に取り付けられた取付板４３とを有してなる。
【００３４】
ボックス本体４２は、下側が開口したキャップ状をなし、外観形状は箱状に形成され、ボックス本体４２の上部を形成する矩形状に形成された天板部４２ａと、天板部４２ａの周縁部から天板部４２ａに対して略直交する方向に延びる側板部４２ｂとを有してなる。天板部４２ａと側板部４２ｂによって囲まれた内側の空間部が電子基板４０を収容する収容凹部となっている。
【００３５】
取付板４３は、ボックス本体４２の下側の開口を覆うように矩形状をなし、その周縁部には、下方へ延びる矩形状の枠体部４３ａが設けられている。この枠体部４３ａは、用具箱５０の上部に開口する開口部５１の周縁の外側に沿って配置されて開口部５１への水の進入を抑える。この取付板４３上に電子基板４０が収容されたボックス本体４２がボルト４４等の締結手段を介して固定されている。取付板４３は、用具箱５０の箱状本体部５２の後側にヒンジ等を介して回動自在に取り付けられて用具箱５０の開口部５１を開閉自在である。取付板４３が用具箱５０の上部の開口部５１を覆った状態になると、取付板４３の前側は用具箱５０の前端部から突出し、また取付板４３の裏面に設けられたフック４５が用具箱５０の前面外側に配置される。
【００３６】
用具箱５０は、ヒッチフレーム１１の左右方向一方側の前側部に設けられた箱状本体部５２と、箱状本体部５２の開口部５１を開閉自在に設けられた取付板４３とを有してなる。取付板４３は、前述したように電気接続箱４１の底板を構成するとともに、用具箱５０の蓋部としても機能する。このため、電気接続箱４１と用具箱５０は取付板４３を介して一体的に形成されている。
【００３７】
箱状本体部５２は、上部に矩形状の開口部５１を有して有底容器状をなし、矩形状の底面部５２ａと底面部５２ａの外周に沿って設けられた側板部５２ｂとを有してなる。底面部５２ａと側板部５２ｂによって、内部に用具を収容可能な空間部５３が形成されている。箱状本体部５２の後側には、後方側へ突出する突出板部５４が設けられ、この突出板部５４に挿通されたボルト５５がヒッチフレーム１１に螺合して箱状本体部５２の後側がヒッチフレーム１１に固定されている。
【００３８】
側板部５２ｂのうち前側に配置された側板部５２ｂ'は、底面部５２ａを超えて更に下方へ延び、その先端部の一部は後方側へ屈曲してヒッチフレーム１１の下部に固定され、また先端部の一部は後方斜め下方へ延びて入力軸４の側方に設けられた板部に固定されている。この側板部５２ｂ'の中央部にはフック５６ａとレバー５６ｂからなるパッチン錠５６が設けられている。
【００３９】
このパッチン錠５６は、取付板４３の底面に取り付けられたフック４５に係止されると、用具箱５０の開口部５１を閉じた状態で取付板４３を箱状本体部５２にロックすることができる。
【００４０】
このように、ヒッチフレーム１１に用具箱５０を設けると、シャーボルト、スパナ等の簡易工具、ウェス、軍手、無線指令装置３（リモコン送信機）用の交換電池、不使用時の無線指令装置３（リモコン送信機）等の畦塗り機１に関連する用具を、用具箱５０内に収容することができる。
【００４１】
また用具箱５０は、電気接続箱４１の底板となる取付板４３が用具箱の蓋部も兼ねている。このため、既存の部品を有効に利用することができ、用具箱５０の部品点数を少なくして、製造コストの増大を抑制することができる。
【００４２】
なお、用具箱は、電気接続箱４１とは無関係に構成されたものでもよい。この用具箱６０は、図４（斜視図）に示すように、ヒッチフレーム１１の左右方向一方側の前側端部に設けられた箱状本体部６１と、箱状本体部６１の開口部６１ａを開閉自在にする蓋部６３とを有してなる。
【００４３】
箱状本体部６１は直方体状に形成され、上部が開口した有底容器状に形成されている。箱状本体部６１は、底板部６１ｂと、底板部６１ｂの周縁を囲むようにして設けられた側板部６１ｃとを有してなる。側板部６１ｃは、底板部６１ｂの前部に配置された前側板６１ｃ１と、底板部６１ｂの左右両側に配置された一対の横側板６１ｃ２と、底板部６１ｂの後部に配置された後側板６１ｃ３とを有してなる。
【００４４】
後側板６１ｃ３には、その中間部に所定距離を有して設けられた一対の孔部６１ｄが設けられている（図５参照）。この孔部６１ｄはボルト６２を通すためのものであり、後側板６１ｃ３の内面に沿って配置される板部材６５に挿通されたボルト６２がヒッチフレーム１１に螺合して、箱状本体部６１をヒッチフレーム１１に固定することができる。
【００４５】
この箱状本体部６１内には、図５に示すように、スパナ６６、シャーボルト６７、無線指令装置３（リモコン送信機）等の他に箱状本体部６１内の空間を上下に仕切る仕切り台６８が収容される。仕切り台６８は、物を載せる板状の台部６８ａと、台部６８ａの両端部から下方へ延びる脚部６８ｂとを有してなる。台部６８ａの中央部には、仕切り台６８を容易に把持可能にするための孔部６８ａ１が設けられている。
【００４６】
このため、箱状本体部６１の底部に無線指令装置３（リモコン送信機）を収容し、その上に仕切り台６８を置き、仕切り台６８上にスパナ６６やシャーボルト６７を載置することができる。また、箱状本体部６１の底部にスパナ６６やシャーボルト６７を収容し、その上に仕切り台６８を置き、仕切り台６８上に無線指令装置３（リモコン送信機）を載置してもよい。
【００４７】
蓋部６３は、後側板６１ｃ３にヒンジ部６４を介して回動自在に接続されて箱状本体部６１の上部に開口する開口部６１ａを開閉する。蓋部６３は、キャップ状をなし、その前側には、下方へ延びる係止板部６３ａが設けられている。この係止板部６３ａは、蓋部６３が開口部６１ａを閉じた状態にすると、前側板６１ｃ１に突設された係止突起６１ｅに係止される係合孔部６３ａ１を有している。このため、蓋部６３によって開口部６１ａが閉じられると、蓋部６３を箱状本体部６１にロックした状態にすることができる。
【００４８】
なお、前述した実施の形態では、用具箱５０，６０を畦塗り機１に設けた場合を示したが、用具箱５０，６０を代掻き用の耕耘作業機７０に設けてもよい。耕耘作業機７０は、図６（平面図）に示すように、走行機体９０の後部に装着されて走行機体９０の前進走行とともに進行して耕耘作業を行うものである。耕耘作業機７０は、進行方向に対して左右方向に延びる作業機本体７１と、作業機本体７１の左右両側に上下方向に折り畳み自在に取り付けられた延長作業機体８０を有して構成される。
【００４９】
耕耘作業機７０の作業機本体７１には左右方向に延びる機体本体部をなす本体フレーム７２を備え、本体フレーム７２の前側には走行機体９０の後部に設けられた３点リンク連結機構に連結されるトップマスト７３ａ及びロアーリンク連結部７４ｂを有した装着部７３が設けられて、耕耘作業機７０は走行機体９０の後部に対して昇降可能に装着される。
【００５０】
本体フレーム７２の左右方向の両側には伝動ケース及びサポートフレームが設けられ、これらの下側間に耕耘ロータが回転自在に支持されている。
【００５１】
本体フレーム７２の左右方向中央部には走行機体９０からの動力を入力する入力軸７５を備えたギヤボックス７６が設けられ、走行機体９０から取り出された動力はユニバーサルジョイント等を介して入力軸７５に伝達される。入力軸７５に伝達された動力は、本体フレーム７２及び伝動ケース内に設けられた動力伝達機構を介して耕耘ロータ（作業部）を回転させる。
【００５２】
耕耘ロータの上方にはシールドカバー７７が配設され、シールドカバー７７の後端部には前端部が回動自在に取り付けられて後側が斜め後方へ延びる本体側エプロン７８が設けられている。本体側エプロン７８の後端部には上下方向に回動自在に取り付けられた本体側レベラー７９が設けられている。
【００５３】
延長作業機体８０は、作業機本体７１との間に連結された回動機構７４を介して、作業機本体７１の上方位置に格納される格納位置と、作業機本体７１の側方位置に配置されて作業が可能な作業位置Ｐｓとの間を回動可能である。
【００５４】
延長作業機体８０は、左右方向に延びて回転自在に支持された延長耕耘ロータ（作業部）と、延長耕耘ロータの上方を覆う延長側シールドカバー８１と、この後部に回動自在に設けられた延長側エプロン８２と、延長側エプロン８２の後端部に上下方向に回動自在に取り付けられた第１延長レベラー８３と、第１延長レベラー８３の端部に上下方向に回動自在に取り付けられた第２延長レベラー８４とを有してなる。
【００５５】
延長耕耘ロータは、延長作業機体８０が作業位置Ｐｓに移動すると、耕耘ロータの動力がクラッチを介して伝達可能に構成されている。
【００５６】
また、延長作業機体８０は、これを作業位置Ｐｓに移動させると、作業機本体７１の本体側エプロン７８の左右方向端部に延長作業機体８０の延長側エプロン８２が連結されるとともに、作業機本体７１の本体側レベラー７９の左右方向端部に延長作業機体８０の第１延長レベラー８３が連結されるようになっている。さらに、作業位置Ｐｓに移動した延長作業機体８０を格納位置側に移動させると、これらの連結が解除されるようになっている。
【００５７】
第１延長レベラー８３の左右方向端部には、前後方向に延びる回動軸を中心として上下方向に回動自在に取り付けられた第２延長レベラー８４が設けられている。
【００５８】
このように構成された耕耘作業機７０の作業機本体７１の本体フレーム７２の左右方向一方側の側部に前述した電気接続箱４１とこれを支持する用具箱５０が設けられている。電気接続箱４１と用具箱５０の構造や取り付け方法は、図１に示すものに準じるので、それらの説明は省略する。また電気接続箱４１及び用具箱５０は、図４及び図５に示す用具箱６０に置き換えてもよい。この場合には、用具箱６０は電気接続箱４１を設けた用具箱５０に比べてコンパクトな大きさであり、また無線に関係がないため、用具箱６０はトップマスト７３ａ周辺やギヤボックス７６周辺の本体フレーム７２に設けてもよい。
【００５９】
このように、本体フレーム７２等に用具箱５０，６０を設けると、図５に示すシャーボルト６７、スパナ６６等の簡易工具の他に、ウェス、軍手、無線指令装置３（リモコン送信機）用の交換電池等の、不使用時の耕耘作業機７０に関連する用具を、用具箱５０，６０内に収容することもできる。
【００６０】
なお、前述した実施例では、シャーボルト６７を用具箱５０，６０内に収容する場合を示したが、シャーボルト６７は螺合できる場所があれば用具箱５０，６０内に収容しなくても作業機に備えることが可能である。このため、耕耘作業機７０の場合では、トップマスト７３ａや本体フレーム７２に設けられた装着孔部（図示せず）に螺合させ、畦塗り機１の場合では、図２に示すヒッチフレーム１１に設けられた装着孔部（図示せず）にシャーボルト６７を螺合させて、備えるようにしてもよい。
【符号の説明】
【００６１】
１  畦塗り機（農作業機）
１０、７３  装着部
２０  機体本体部
２１  オフセット機構部
３０  作業部
４０  電子基板（無線受信制御装置）
４１  電気接続箱（制御ボックス）
５０、６０  用具箱（用具予備手段）
６７  シャーボルト
７０  耕耘作業機（農作業機）
７２  本体フレーム（機体本体部、フレーム部）
７３ａ  トップマスト（マスト）
７６  ギヤボックス（ギヤケース）
９０  走行機体
【図１】
0005787511.tif 000002
【図２】
0005787511.tif 000003
【図３】
0005787511.tif 000004
【図４】
0005787511.tif 000005
【図５】
0005787511.tif 000006
【図６】
0005787511.tif 000007